(57)【要約】      （修正有）【課題】レーザ管のケースを振動や衝撃から遮断し、着脱作業が容易で、クッションの弾性劣化を防止でき、レーザ管の放射を安定させることを、簡単な構造で実現する。【解決手段】上側及び下側保持ユニット２１Ａ，２１Ｂは、面側２ｂにレーザ管のケース１が配置されたシャーシ２の左面２ｃに配置された溝３ａを設けたクッション３と、クッション３の溝３ａに嵌め込まれたフランジ４ａと、シャーシ２に形成された挿通穴２ｄを介してシャーシ２の左面２ｃから右面２ｂへ突出する先端側にレーザ管のケース１をねじ５で連結したスリーブ４ａと有するアタッチメントと、クッション３を囲んで保持するようにシャーシの左面２ｃ側に固定されたキャッチャ６とを備える。【選択図】図１
2010272740.tif 000002
【特許請求の範囲】
【請求項１】
第１の面側にレーザ管のケースが配置されたシャーシの前記第１の面とは反対側の第２の面に配置された溝を設けたクッションと、
前記クッションの前記溝に嵌め込まれたフランジと、前記シャーシに形成された挿通穴を介して前記シャーシの前記第２の面側から前記第１の面側に突出する先端側に前記レーザ管のケースを連結した軸状部と有するアタッチメントと、
前記クッションを囲んで保持するように前記シャーシの前記第２の面側に固定されたキャッチャと
を有する保持ユニットを少なくとも１組備えたレーザ管のケース保持構造。
【請求項２】
前記保持ユニットは、前記レーザ管のケースの上側を保持する上側保持ユニットと、前記レーザ管のケースの下側を保持する下側保持ユニットを含む、請求項１に記載のレーザ管のケース保持構造。
【請求項３】
前記上側保持ユニット及び前記下側保持ユニットの前記アタッチメントの前記軸状部は両端開口の中空軸状であり、前記シャーシの第２の面側から前記軸状部に挿通したねじを螺合することで前記上側保持ユニット及び前記下側保持ユニットの前記アタッチメントの前記軸状部に前記レーザ管の保持ケースを連結している、請求項２に記載のレーザ管のケース保持構造。
【請求項４】
前記レーザ管のケースの底面に対して間隔をあけて位置するように前記レーザ管のケースに取り付けられたアダプタをさらに備え、
前記シャーシの第２の面側から前記軸状部に挿通した前記ねじを螺合することで前記下側保持ユニットの前記アタッチメントの前記軸状部に前記アダプタを連結している、請求項３に記載のレーザ管のケース保持構造。
【請求項５】
前記レーザ管のケースの底面に対して間隔をあけて位置するように前記レーザ管のケースに取り付けられたアダプタをさらに備え、
前記上側保持ユニットの前記アタッチメントの前記軸状部は両端開口の中空軸状であり、前記シャーシの前記第２の面側から挿通したねじを螺合することで前記上側保持ユニットの前記アタッチメントの前記軸状部に前記レーザ管の保持ケースを連結し、
前記下側保持ユニットの前記アタッチメントの前記軸状部は、少なくとも先端側が開口した中空軸状であり、前記アダプタに設けた突起を差し込むことで前記下側保持ユニットの前記アタッチメントの前記軸状部に前記アダプタを連結している、請求項２に記載のレーザ管のケース保持構造。
【発明の詳細な説明】
【技術分野】
【０００１】
本発明は、医療用および加工用装置などの用途に用いられるレーザ管のケース保持構造に関するものである。
【背景技術】
【０００２】
従来のレーザ管のケース保持構造は、図７の斜めから見た外観図に示すように、レーザ管を内部に収容したケース１１、ゴムなどの弾性体からなるクッション１２、締付け固定具１３、ねじ１４、シャーシ１５で構成されている。ケース１１の４つの側面と底面にクッション１２を当て、締付け固定具１３とねじ１４によりケース１１がシャーシ１５に保持される。ケース１１の４つの側面および底面と、締付け固定具１３およびシャーシ１５との間にクッション１２が介在する。
【０００３】
また、他の従来例としては、特許文献１に、レーザ管を内部に収容したケースの片側を鋼材製の足部を介してねじでシャーシに固定し、ケースの他方側の鋼材製の足部をばねを備えたねじでシャーシに保持するレーザ管のケース保持構造が開示されている。この特許文献１の保持構造は、レーザ管動作時の発熱によるケースとシャーシとの相対的な熱膨張を補償し、レーザ管の放射を安定させる。
【先行技術文献】
【特許文献】
【０００４】
【特許文献１】特許第２７３５３９１号明細書（第１図）
【発明の概要】
【発明が解決しようとする課題】
【０００５】
しかしながら、図７のようにレーザ管を内部に収容したケース１１をクッション１２を介してシャーシ１５に保持する保持構造や、特許文献１のようにケースの一方側を鋼材製の足部をばねを備えたねじで保持する保持構造の場合、シャーシにキャスタを取り付けた移動型装置とすると、移動時の床や路面状態により発生した振動や衝撃がレーザ管のケースに伝わる。レーザ管内部のガスが封入されたチューブの両端には高反射率に位置あわせされた一対の反射鏡が配置されているが、振動や衝撃によって反射鏡の位置あわせがずれ、反射率が低下することでレーザの放射が不安定になるという問題があった。また、図７のようにケース１１をクッション１２を介してシャーシ１５に保持する場合、チューブへのガス注入時にシャーシ１５からのレーザ管のケース１１の着脱作業に時間を要したり、レーザ管のケース１１の発熱によるクッション１２の弾性が劣化するという問題があった。さらに、図７の保持構造で冷却用ファンを用いた場合、クッション１２が空気の流れを阻害して冷却効率が低下し、レーザ管動作時の発熱によりレーザ管の放射を不安定にさせるという問題があった。
【０００６】
本発明は、従来の問題を解決するためになされたもので、レーザ管のケースの保持構造において、シャーシからレーザ管のケースに伝わる振動や衝撃を遮断ないし大幅に低減すること、レーザ管のケースのシャーシからの着脱作業を容易にすること、レーザ管のケ−スの発熱によるクッションの弾性劣化の防止すること、並びに良好な冷却効率を確保してレーザ管の放射を安定させることを、簡単な構造で実現することを目的とする。
【課題を解決するための手段】
【０００７】
本発明のレーザ管のケース保持構造は、第１の面側にレーザ管のケースが配置されたシャーシの前記第１の面とは反対側の第２の面に配置された溝を設けたクッションと、前記クッションの前記溝に嵌め込まれたフランジと、前記シャーシに形成された挿通穴を介して前記シャーシの前記第２の面側から前記第１の面側に突出する先端側に前記レーザ管のケースを連結した軸状部と有するアタッチメントと、前記クッションを囲んで保持するように前記シャーシの前記第２の面側に固定されたキャッチャとを有する保持ユニットを少なくとも１組備える。
【０００８】
この構成によれば、アタッチメントの軸状部にレーザ管のケースが連結され、アタッチメントのフランジはクッションの溝に嵌め込まれている。そして、クッションはキャッチャで囲まれることでシャーシに保持される。つまり、シャーシおよびそれに固定されたキャッチャと、レーザ管のケースが連結されたアタッチメントとの間には、緩衝効果をもたらすクッションが介在している。従って、シャーシからレーザ管のケースに伝わる振動や衝撃を遮断ないし大幅に低減できる。
【０００９】
シャーシに対するレーザ管のケースの着脱作業は、アタッチメントの軸状部の先端側にレーザ管のケースを着脱するだけで容易に行うことができる。
【００１０】
クッションは、レーザ管のケースが配置されたシャーシの第１の面側ではなく、この第１の面とは反対側であるシャーシの第２の面側に配置されている。従って、レーザ管のケースがクッションと接触せず、しかもレーザ管のケースとクッションの間にはシャーシが介在する。その結果、レーザ管のケースの発熱によるクッション３の弾性劣化を防止できる。
【００１１】
レーザ管のケースが配置されたシャーシの第１の面側にはアタッチメントの軸状部のみが突出しており、クッション、アタッチメントのフランジ、およびキャッチャはいずれも第１の面とは反対側であるシャーシの第２の面側に配置されている。従って、冷却用ファンを用いた場合、冷却用ファンが発生する空気流の流れが阻害されず良好な冷却効率が確保される。その結果、レーザ管動作時の発熱を防ぎレーザ管のケースとシャーシとの相対的な熱膨張を補償することで、レーザ管の放射を安定させることができる。
【００１２】
さらに、保持ユニットはクッション、アタッチメント、およびキャッチャからなる点で構造が簡単である。
【００１３】
具体的には、前記保持ユニットは、前記レーザ管のケースの上側を保持する上側保持ユニットと、前記レーザ管のケースの下側を保持する下側保持ユニットを含む。
【００１４】
さらに具体的には、前記上側保持ユニット及び前記下側保持ユニットの前記アタッチメントの前記軸状部は両端開口の中空軸状であり、前記シャーシの第２の面側から前記軸状部に挿通したねじを螺合することで前記上側保持ユニット及び前記下側保持ユニットの前記アタッチメントの前記軸状部に前記レーザ管の保持ケースを連結している。
【００１５】
この構成により、シャーシに対するレーザ管のケースの着脱作業は、２本のねじ（上側保持ユニットのねじと下側保持ユニットのねじ）を締め付けまたは緩めるだけで容易に行うことができる。
【００１６】
さらに具体的には、前記レーザ管のケースの底面に対して間隔をあけて位置するように前記レーザ管のケースに取り付けられたアダプタをさらに備え、前記シャーシの第２の面側から前記軸状部に挿通した前記ねじを螺合することで前記下側保持ユニットの前記アタッチメントの前記軸状部に前記アダプタを連結している。
【００１７】
アダプタと下側保持ユニットでレーザ管のケースの底面側を保持するので、レーザ管のケースの姿勢がより安定する。
【００１８】
あるいは、前記レーザ管のケースの底面に対して間隔をあけて位置するように前記レーザ管のケースに取り付けられたアダプタをさらに備え、前記上側保持ユニットの前記アタッチメントの前記軸状部は両端開口の中空軸状であり、前記シャーシの前記第２の面側から挿通したねじを螺合することで前記上側保持ユニットの前記アタッチメントの前記軸状部に前記レーザ管の保持ケースを連結し、前記下側保持ユニットの前記アタッチメントの前記軸状部は、少なくとも先端側が開口した中空軸状であり、前記アダプタに設けた突起を差し込むことで前記下側保持ユニットの前記アタッチメントの前記軸状部に前記アダプタを連結している。
【００１９】
この構成により、シャーシに対するレーザ管のケースの着脱作業は、１本のねじ（上側保持ユニットのねじ）の締め付けまたは緩めと、下側保持ユニットの軸状部のアダプタの突起に対する差し込みまたは抜き出しだけで容易に行うことができる。また、アダプタと下側保持ユニットでレーザ管のケースの底面側を保持するので、レーザ管のケースの姿勢がより安定する。
【発明の効果】
【００２０】
本発明のレーザ管のケース保持構造は、キャッチャによってシャーシに保持されたクッションにフランジを嵌め込んだアタッチメントの軸状部にレーザ管のケースを連結する保持ユニットを採用したので、簡易な構成の構造でありながら、シャーシからレーザ管のケースに伝わる振動や衝撃を遮断ないしは大幅に低減でき、レーザ管のケースのシャーシからの着脱作業が容易であり、レーザ管の発熱によるクッションの弾性劣化を防止でき、かつ良好な冷却効率を確保してレーザ管の放射を安定させることができる。
【図面の簡単な説明】
【００２１】
【図１】本発明の第１の実施の形態におけるレーザ管のケース保持構造の断面図。
【図２】本発明の第１の実施の形態におけるレーザ管のケース保持構造の分解斜視図。
【図３】本発明の第２の実施の形態におけるレーザ管のケース保持構造の断面図。
【図４】本発明の第３の実施の形態におけるレーザ管のケース保持構造の断面図。
【図５】本発明の第３の実施の形態におけるレーザ管のケース保持構造の分解斜視図。
【図６】第３の実施の形態の変形例の分解斜視図。
【図７】従来のレーザ管のケース保持構造の斜視図。
【発明を実施するための形態】
【００２２】
以下、本発明の実施の形態のレーザ管のケース保持方法について、図面を用いて説明する。
【００２３】
（第１の実施の形態）
本発明の第１の実施の形態のレーザ管のケース保持構造を図１および図２に示す。
【００２４】
レーザ管のケース１は、上側保持ユニット２１Ａと下側保持ユニット２１Ｂによってシャーシ２に上下方向に延びる部分（垂直部分２ａ）の図１において右面（第１の面）２ｂに対して間隔をあけて着脱可能に保持されている。本実施形態では、上側保持ユニット２１Ａと下側保持ユニット２１Ｂは同一構造であり、それぞれクッション３、アタッチメント４、およびキャッチャ６からなる簡単な構造である。
【００２５】
クッション３は、ゴムなどの弾性体からなる断面円形の環状であり、内側に環状のスリットないし溝３ａが形成されている。クッション３はシャーシ２のレーザ管のケース１が配置された右面２ｂとは反対側である図１において左面（第２の面）２ｃ上に配置されている。
【００２６】
アタッチメント４は本実施形態では両端開口の円筒状であるスリーブ（軸状部）４ｂと、このスリーブ４ｂの基端側（図１において左端側）から外向きに広がる薄厚円板状のフランジ４ａとを備える。アタッチメント４のフランジ４ａは、シャーシ２の左面２ｃ側に位置してクッション３の溝３ａに嵌め込まれている。このフランジ４ａの溝３ａへの嵌め込みによって、アタッチメント４がクッション３に連結されている。アタッチメント４のスリーブ４ｂは、シャーシ２に厚み方向に貫通するように形成された挿通穴２ｄを介して左面２ｃ側から右面２ｂ側に突出している。スリーブ４ｂの傾動を許容するために、挿通穴２ｄの穴径はスリーブ４ｂの外径よりも大きく設定されている。スリーブ４ａには頭部５ａが基端側（図１において左端側）の端面に位置するようにねじ５の軸部５ｂが挿通されている。ねじ５の軸部５ｂはスリーブ４ａの先端側（図１において右端側）から突出している。ねじ５の軸部５ｂのスリーブ４ａから突出する部分がレーザ管のケース１の側面１ａに設けられたねじ穴１ｂに螺合している。ねじ５を締め付けると、ねじ５の頭部５ａとレーザ管のケース１の側面１ａとがスリーブ４ｂを両端面から挟み込む。この挟み込みによってレーザ管のケース１がアタッチメント４のスリーブ４ｂの先端側（図１において右端側）に固定される。
【００２７】
キャッチャ６はシャーシ２のレーザ管のケース１が配置された右面２ｂとは反対側の左面２ｃ（図１において左側の面）上に配置されている。本実施形態におけるキャッチャ６は、一端に開口６ａを有して他端に閉鎖壁６ｂを有する容器状の本体６ｃを備える。開口６ａの縁部から外向きにフランジ６ｄが突出している。フランジ６ｄには貫通穴６ｅが形成されている。この貫通穴６ｅに挿通したねじ７をシャーシ２に形成したねじ穴２ｅに螺合することで、開口６ａが左面２ｃに臨む姿勢でキャッチャ６がシャーシ２に固定されている。キャッチャ６の本体６ｂ内にクッション３が収容されており、クッション３はキャッチャ６で取り囲まれることでシャーシ２の左面２ｃ上に固定されている。具体的には、クッション３の外周がキャッチャ６の本体６ｃの内周壁、本体６ｃの閉鎖壁６ｂ、およびシャーシ２の左面２ｃに密接している。キャッチャ６の本体６ｃの閉鎖壁６ｂには作業穴６ｆが形成されている。この作業穴６ｆとクッション３の内周部とを介してアタッチメント４のスリーブ４ｂの図１において左側端部が外部から見えている。言い換えれば、作業穴６ｆを介して軸部５ｂがスリーブ４ｂに挿通されたねじ５にアクセスできる。
【００２８】
上側保持ユニット２１Ａ及び下側保持ユニット２１Ｂは以下の組立手順でレーザ管のケース１を保持できる。まず、クッション３の溝３ａにアタッチメント４のフランジ４ａを嵌め込んでクッション３にアタッチメント４を取り付ける。次に、アタッチメント４を取付済みのクッション３を本体６ｃに収容した状態で、キャッチャ６をシャーシ２の左面２ｃにねじ７で固定する。この際、アタッチメント４のスリーブ４ｂを挿通穴２ｄに通して右面２ｂ側に突出させる。最後に、作業穴６ｆを介してアタッチメント４のスリーブ４ｂに挿通させたねじ５によってスリーブ４ｂの先端にレーザ管のケース１をねじ止めで固定する。
【００２９】
本実施形態のレーザ管のケース１のシャーシ２への保持構造には、以下に列挙する特徴がある。
【００３０】
アタッチメント４のスリーブ４ｂにレーザ管のケース１が連結され、アタッチメント４はフランジ４ａを溝３ａに嵌め込むことでクッション３に連結されている。そして、クッション３はキャッチャ６で囲まれることでシャーシ２に保持される。つまり、シャーシ２およびそれに固定されたキャッチャ６と、レーザ管のケース１が連結されたアタッチメント４との間には、緩衝効果をもたらすクッション３が介在している。従って、シャーシ２からレーザ管のケース１に伝わる振動や衝撃を遮断ないし大幅に低減できる。
【００３１】
シャーシ２に対するレーザ管のケース１の着脱作業は、２本のねじ５（上側保持ユニット２１Ａのねじ５と下側保持ユニット２１Ｂのねじ５）を締め付けまたは緩めるだけで容易に行うことができる。
【００３２】
クッション３は、レーザ管のケース１が配置されたシャーシ２の右面２ｂ側ではなく、この右面２ｂとは反対側であるシャーシ２の左面２ｃ側に配置されている。従って、レーザ管のケース１がクッション３と接触せず、しかもレーザ管のケース１とクッション３の間にはシャーシ２が介在する。その結果、レーザ管のケース１の発熱によるクッション３の弾性劣化を防止できる。
【００３３】
レーザ管のケース１が配置されたシャーシ２の右面２ｂ側にはアタッチメント４のスリーブ４ｂの先端側のみが突出しており、クッション３、アタッチメント４のフランジ４ｂ、およびキャッチャ６はいずれも右面２ｂとは反対側であるシャーシ２の左面２ｃ側に配置されている。従って、冷却用ファンを用いた場合、冷却用ファンが発生する空気流の流れが阻害されず良好な冷却効率が確保される。その結果、レーザ管動作時の発熱を防ぎレーザ管のケース１とシャーシ２との相対的な熱膨張を補償することで、レーザ管の放射を安定させることができる。
【００３４】
（第２の実施の形態）
本発明の第２の実施の形態のレーザ管のケース保持構造を図３に示す。図３において第１の実施の形態と同一の要素には同一の符号を付している。
【００３５】
シャーシ２は垂直部分２ａの下端から横方向に延びる部分（水平部分２ｆ）を備え、この水平部分２ｆにアタッチメント４のスリーブ４ｂが鉛直方向上向きに延びる姿勢で下側保持ユニット２１Ｂが取り付けられている。また、下側保持ユニット２１Ｂにはアダプタ８を介してレーザ管のケース１が取り付けられている。アダプタ８はレーザ管のケース１の側面１ａにねじ９で固定された取付部８ｂと、この取付部８ｂから横方向に延びる台座部８ｃとを備える。台座部８ｃはレーザ管のケース１の底面１ｃに対して間隔をあけて位置している。台座部８ｃが下側保持ユニット２１Ｂのアタッチメント４のスリーブ４ｂにねじ５で固定される。
【００３６】
上側保持ユニット２１Ａ及び下側保持ユニット２１Ｂは以下の組立手順でレーザ管のケース１を保持できる。まず、レーザ管のケース１の側面１ａにアダプタ８の取付部８ｂをねじ９によってねじ止めで固定する。また、上側保持ユニット２１Ａおよび下側保持ユニット２１Ｂの両方について、クッション３の溝３ａにアタッチメント４のフランジ４ａを嵌め込んでクッション３にアタッチメント４を取り付ける。次に、アタッチメント４を取付済みのクッション３を本体６ｃに収容した状態で、上側保持ユニット２１Ａのキャッチャ６をシャーシ２の垂直部分２ａの左面２ｃにねじ７で固定する。この際、アタッチメント４のスリーブ４ｂを挿通穴２ｄに通して垂直部分２ａの右面２ｂ側に突出させる。また、アタッチメント４を取付済みのクッション３を本体６ｃに収容した状態で、下側保持ユニット２１Ｂのキャッチャ６をシャーシ２の水平部分２ｆの下面にねじ７で固定する。この際、アタッチメント４のスリーブ４ｂを挿通穴２ｄに通して水平部分２ｆの上面側に突出させる。次に、作業穴６ｆを介してアタッチメント４のスリーブ４ｂに挿通させたねじ５によって、下側保持ユニット２１Ｂのスリーブ４ｂの先端にアダプタ８の台座部８ｄをねじ止めで固定する。最後に、作業穴６ｆを介してアタッチメント４のスリーブ４ｂに挿通させたねじ５によって、上側保持ユニット２１Ａのスリーブ４ｂの先端にレーザ管のケース１をねじ止めで固定する。
【００３７】
第２の実施の形態のレーザ管のケース保持構造は、第１の実施の形態と同様、キャッチャ６によってシャーシ２に保持されたクッション３にフランジ４ａを嵌め込んだアタッチメント４のスリーブ４ｂにレーザ管のケース１を連結する上側及び下側保持ユニット２１Ａ，２１Ｂを採用したので、簡易な構成な構造でありながら、シャーシからレーザ管のケース１に伝わる振動や衝撃を遮断ないしは大幅に低減でき、レーザ管のケース１のシャーシ２からの着脱作業が容易であり、レーザ管の発熱によるクッション３の弾性劣化を防止でき、かつ良好な冷却効率を確保してレーザ管の放射を安定させることができる。また、アダプタ８と下側保持ユニット２１Ａでレーザ管のケース１の底面１ｃ側を保持するので、レーザ管のケース１の姿勢がより安定する。
【００３８】
（第３の実施の形態）
本発明の第３の実施の形態のレーザ管のケース保持構造を図４及び図５に示す。図４及び図５において、第１及び第２の実施の形態と同一の要素には同一の符号を付している。
【００３９】
第１及び第２の実施形態では、上側及び下側保持ユニット２１Ａ，２１Ｂのいずれについても、ねじ５によるねじ止めでアタッチメント４のスリーブ４ｂにレーザ管のケース１やアダプタ８を取り付けている。これに対し、第３の実施の形態では、下側保持ユニット２１Ｂのアタッチメント４のスリーブ４ｂに対して、ねじ止めではなく差し込みないし嵌め込みによってアダプタ８の台座部８ｄを取り付けている。具体的には、アダプタ８の台座部８ｄの下面にはシャフト（突起）８ａが突出しており、このシャフト８ａが下側保持ユニット２１Ａのアタッチメント４のスリーブ４ａの図４において上端に差し込まれている。下側ユニット２１Ａのアタッチメント４のスリーブ４ａはシャフト８ａの全体が差し込み可能となるように図４において上端側のみが開口した筒状であってもよく、両端開口である必要はない。
【００４０】
上側保持ユニット２１Ａ及び下側保持ユニット２１Ｂは以下の組立手順でレーザ管のケース１を保持できる。まず、レーザ管のケース１の側面１ａにアダプタ８の取付部８ｂをねじ９によってねじ止めで固定する。また、上側保持ユニット２１Ａおよび下側保持ユニット２１Ｂの両方について、クッション３の溝３ａにアタッチメント４のフランジ４ａを嵌め込んでクッション３にアタッチメント４を取り付ける。次に、アタッチメント４を取付済みのクッション３を本体６ｃに収容した状態で、上側保持ユニット２１Ａのキャッチャ６をシャーシ２の垂直部分２ａの左面２ｃにねじ７で固定する。この際、アタッチメント４のスリーブ４ｂを挿通穴２ｄに通して垂直部分２ａの右面２ｂ側に突出させる。また、アタッチメント４を取付済みのクッション３を本体６ｃに収容した状態で、下側保持ユニット２１Ｂのキャッチャ６をシャーシ２の水平部分２ｆの下面にねじ７で固定する。この際、アタッチメント４のスリーブ４ｂを挿通穴２ｄに通して水平部分２ｆの上面側に突出させる。次に、アダプタ８の台座部８ｄを下側保持ユニット２１Ｂのスリーブ４に差し込み、アダプタ８を下側保持ユニット２１Ｂのスリーブ４ｂに連結する。最後に、作業穴６ｆを介してアタッチメント４のスリーブ４ｂに挿通させたねじ５によって、上側保持ユニット２１Ａのスリーブ４ｂの先端にレーザ管のケース１をねじ止めで固定する。
【００４１】
第３の実施の形態のレーザ管のケース保持構造は、第１の実施の形態と同様、キャッチャ６によってシャーシ２に保持されたクッション３にフランジ４ａを嵌め込んだアタッチメント４のスリーブ４ｂにレーザ管のケース１を連結する上側及び下側保持ユニット２１Ａ，２１Ｂを採用したので、簡易な構成な構造でありながら、シャーシからレーザ管のケース１に伝わる振動や衝撃を遮断ないしは大幅に低減でき、レーザ管のケース１のシャーシ２からの着脱作業が容易であり、レーザ管の発熱によるクッション３の弾性劣化を防止でき、かつ良好な冷却効率を確保してレーザ管の放射を安定させることができる。また、アダプタ８と下側保持ユニット２１Ａでレーザ管のケース１の底面１ｃ側を保持するので、レーザ管のケース１の姿勢がより安定する。さらに、下側保持ユニット２１Ａのアタッチメント４に対するアダプタ８の連結は、ねじ止めではなくアダプタ８のシャフト８ａをアタッチメント４のスリーブ４ｂに差し込むだけでよいので、シャーシ２へのレーザ管のケース１の取付作業がより容易になる。
【産業上の利用可能性】
【００４２】
以上のように、本発明にかかるレーザ管のケース保持方法は、レーザ管のケースを振動や衝撃から絶縁させたりシャーシからの着脱作業を容易にし、かつレーザ管のケ−スの発熱によるクッションの弾性劣化の防止とレーザ管の放射を安定させることを簡単な構造ですることができるという効果を有し、レーザ管のケース保持方法およびそれを用いた医療用および加工用装置等として有用である。
【００４３】
図６は第３の実施の形態の代案を示す。この図６の代案では、下側保持ユニット２１Ｂのアタッチメント４がシャフト４ｃを備え、このシャフト４ｃをアダプタ８の台座部８ｄの下面に設けたスリーブに差し込む構造としている。
【符号の説明】
【００４４】
１  レーザ管のケース
１ａ  側面
１ｂ  ねじ穴
１ｃ  底面
２  シャーシ
２ａ  垂直部分
２ｂ  右面
２ｃ  左面
２ｄ  挿通穴
２ｅ  ねじ穴
２ｆ  水平部分
３  クッション
３ａ  溝
４  アタッチメント
４ａ  フランジ
４ｂ  スリーブ
４ｃ  シャフト
５  ねじ
５ａ  頭部
５ｂ  軸部
６  キャッチャ
６ａ  開口
６ｂ  閉鎖壁
６ｃ  本体
６ｄ  フランジ
６ｅ  貫通穴
６ｆ  作業穴
７  ねじ
８  アダプタ
８ａ  シャフト
８ｂ  取付部
８ｄ  台座部
８ｅ  スリーブ
９  ねじ
１１  レーザ管を内部に有するケース
１２  ゴムなどの弾性体のクッション
１３  締付け固定具
１４  ねじ
１５  シャーシ
２１Ａ  上側保持ユニット
２１Ｂ  下側保持ユニット
【図２】
2010272740.tif 000003
【図５】
2010272740.tif 000004
【図６】
2010272740.tif 000005
【図１】
2010272740.tif 000006
【図３】
2010272740.tif 000007
【図４】
2010272740.tif 000008
【図７】
2010272740.tif 000009